(57)【特許請求の範囲】
【請求項１】
乗車希望者が利用する乗車希望者端末及び降車希望者が利用する降車希望者端末と互いに通信可能に接続され、前記降車希望者が利用する車両の利用のマッチングを行うカーシェアリングサーバであって、
前記乗車希望者端末から乗車場所と乗車予定時刻のデータを受信する乗車希望者端末データ受信手段と、
前記降車希望者端末から、前記降車希望者が車両を降車して前記乗車希望者と乗換えを希望する降車場所と降車予定時刻のデータを受信する降車希望者端末データ受信手段と、
受信した前記降車予定時刻において、前記降車場所の所定の範囲で、前記乗車希望者が存在するか否かを、受信した前記乗車場所と前記乗車予定時刻に基づいて検索する乗車希望者検索手段と、
前記乗車希望者が存在しても前記降車希望者が承諾しなかった場合は、前記降車場所の所定の範囲を拡大して、前記乗車希望者が存在するか否かを、受信した前記乗車場所と前記乗車予定時刻に基づいて再検索する再検索手段と、
を備えるカーシェアリングサーバ。
【請求項２】
請求項１に記載のカーシェアリングサーバであって、
前記乗車希望者検索手段及び前記再検索手段が検索した結果、前記乗車希望者が存在したと判断した場合には、当該乗車希望者の数を、前記降車場所の周辺の地図に表示するデータを前記降車希望者端末に送信するデータ送信手段を備えるカーシェアリングサーバ。
【請求項３】
請求項１に記載のカーシェアリングサーバであって、
前記乗車希望者検索手段及び前記再検索手段は、前記車両の蓄電量を参照して、前記降車場所の所定の範囲で、前記乗車希望者が存在するか否かを、受信した前記乗車場所と前記乗車予定時刻に基づいて設定するカーシェアリングサーバ。
【請求項４】
請求項１に記載のカーシェアリングサーバであって、
前記降車希望者端末データ受信手段は、前記車両の走行経路を受信し、
前記再検索手段においても、前記乗車希望者が存在しないと判断した場合には、受信した走行経路上に、所定の降車場所を検索するカーシェアリングサーバ。
【請求項５】
乗車希望者が利用する乗車希望者端末及び降車希望者が利用する降車希望者端末と互いに通信可能に接続され、前記降車希望者が利用する車両の利用のマッチングを行うカーシェアリングサーバであって、
前記乗車希望者端末から乗車場所と乗車予定時刻のデータを受信する乗車希望者端末データ受信手段と、
前記降車希望者端末から、前記降車希望者が車両を降車して前記乗車希望者と乗換えを希望する降車場所と降車予定時刻のデータを受信する降車希望者端末データ受信手段と、
受信した前記乗車予定時刻において、前記乗車場所の所定の範囲で、前記降車希望者が存在するか否かを、受信した前記降車場所と前記降車予定時刻に基づいて検索する降車希望者検索手段と、
前記降車希望者が存在しても前記降車希望者が承諾しなかった場合は、前記降車場所の所定の範囲を拡大して、前記降車希望者が存在するか否かを、受信した前記降車場所と前記降車予定時刻に基づいて再検索する再検索手段と、
を備えるカーシェアリングサーバ。
【請求項６】
請求項５に記載のカーシェアリングサーバであって、
前記降車希望者検索手段及び前記再検索手段が検索した結果、前記降車希望者が存在したと判断した場合には、当該降車希望者の車両数を、前記降車場所の周辺の地図に表示するデータを前記乗車希望者端末に送信する地図送信手段を備えるカーシェアリングサーバ。
【請求項７】
乗車希望者が利用する乗車希望者端末及び降車希望者が利用する降車希望者端末と互いに通信可能に接続され、前記降車希望者が利用する車両の利用のマッチングを行うカーシェアリングサーバが実行する方法であって、
前記乗車希望者端末から乗車場所と乗車予定時刻のデータを受信するステップと、
前記降車希望者端末から前記降車希望者が車両を降車して前記乗車希望者と乗換えを希望する降車場所と降車予定時刻のデータを受信するステップと、
受信した前記降車予定時刻において、前記降車場所の所定の範囲で、前記乗車希望者が存在するか否かを、受信した前記乗車場所と前記乗車予定時刻に基づいて検索するステップと、
前記乗車希望者が存在しても前記降車希望者が承諾しなかった場合は、前記降車場所の所定の範囲を拡大して、前記乗車希望者が存在するか否かを、受信した前記乗車場所と前記乗車予定時刻に基づいて再検索するステップと、
を備えるカーシェアリング方法。
【請求項８】
乗車希望者が利用する乗車希望者端末及び降車希望者が利用する降車希望者端末と互いに通信可能に接続され、前記降車希望者が利用する車両の利用のマッチングを行うカーシェアリングサーバが実行する方法であって、
前記乗車希望者端末から乗車場所と乗車予定時刻のデータを受信するステップと、
前記降車希望者端末から前記降車希望者が車両を降車して前記乗車希望者と乗換えを希望する降車場所と降車予定時刻のデータを受信するステップと、
受信した前記乗車予定時刻において、前記乗車場所の所定の範囲で、前記降車希望者が存在するか否かを、受信した前記降車場所と前記降車予定時刻に基づいて検索するステップと、
前記降車希望者が存在しても前記降車希望者が承諾しなかった場合は、前記降車場所の所定の範囲を拡大して、前記降車希望者が存在するか否かを、受信した前記降車場所と前記降車予定時刻に基づいて再検索するステップと、
を備えるカーシェアリング方法。
【発明の詳細な説明】
【技術分野】
【０００１】
本発明は、カーシェアリングシステム、カーシェアリング方法に関し、特に、情報通信技術を活用して、顧客がカーシェアリングを効率的に行う技術に関する。
【背景技術】
【０００２】
今日、環境問題に対しての意識が向上していることから、社会に優しい車や、社会に優しい交通システムが望まれている。特に、ＣＯ２排出量の削減の観点から、カーシェアリングが注目されている。カーシェアリングは、一般的には、レンタカーよりも、短時間でかつ短距離で車両を利用するサービスである。例えば、カーシェアリングは、商店街周辺や市役所周辺など、コミュニティの一定地域で利用される。すなわち、カーシェアリングは、地域性のある狭い領域で行われることで、車両の利用効率とＣＯ２の削減効果を高めることが可能である。また、このカーシェアリングを行うための車両は、電気自動車やハイブリッド自動車であることで、さらに、削減効果を高めることが可能である。
【０００３】
このカーシェアリングを効率的に実行するために、車両の乗車を希望する乗車希望者と車両を運転する者とのスケジュールを調整して、カーシェアリングを行う方法が知られている（例えば、特許文献１）。また、特許文献２では、１台の車両を複数の者で共有するため、車両の利用をサーバに予約してカーシェアリングを行うことが開示されている。
【先行技術文献】
【特許文献】
【０００４】
【特許文献１】特開２００５−１８２１４６号公報
【特許文献２】特開２００２−３４２８７８号公報
【発明の概要】
【発明が解決しようとする課題】
【０００５】
しかしながら、特許文献１、特許文献２では、現在、運転中の者（降車希望者）が、車両を乗り捨てるために、乗車希望者とマッチングを行うものではない。現在、降車希望者が車両を乗り捨てるにあたっては、予め定められた車両置場であるカーステーションに乗り捨てるのが一般的である。しかし、車両の乗換えを、このカーステーションのみならず、所定の安全な場所で、乗車希望者と降車希望者が乗り換われれば、降車希望者および乗車希望者の利便性が向上し、カーシェアリングの利用が活発になると考えられる。
【０００６】
さらに、乗車希望者が希望する乗車場所と乗車時間を、降車希望者が希望する降車場所と降車時刻に厳密に一致させることは、難しい場合も多く、乗車希望者と降車希望者に、希望する時間又は場所とは、多少ずれた範囲で調整をしてもらう必要がある。
【０００７】
そこで、本発明では、車両を降車して、乗車希望者と乗換えを希望する降車希望者が、乗車希望者と時間又は場所の調整をして、車両利用のマッチングをすることができるカーシェアリングシステム及びカーシェアリング方法を提供することを目的とする。
【課題を解決するための手段】
【０００８】
上記課題を解決するため、本発明の入力装置は、以下のような解決手段を備える。
（１）  乗車希望者が利用する乗車希望者端末及び降車希望者が利用する降車希望者端末と互いに通信可能に接続され、前記降車希望者が利用する車両の利用のマッチングを行うカーシェアリングサーバであって、前記乗車希望者端末から乗車場所と乗車予定時刻のデータを受信する乗車希望者端末データ受信手段と、前記降車希望者端末から、前記降車希望者が車両を降車して前記乗車希望者と乗換えを希望する降車場所と降車予定時刻のデータを受信する降車希望者端末データ受信手段と、受信した前記降車予定時刻において、前記降車場所の所定の範囲で、前記乗車希望者が存在するか否かを、受信した前記乗車場所と前記乗車予定時刻に基づいて検索する乗車希望者検索手段と、前記乗車希望者が存在しても前記降車希望者が承諾しなかった場合は、前記降車場所の所定の範囲を拡大して、前記乗車希望者が存在するか否かを、受信した前記乗車場所と前記乗車予定時刻に基づいて再検索する再検索手段と、を備えたことを特徴とする。
【０００９】
すなわち、カーシェアリングサーバは、乗車希望者端末から乗車場所と乗車予定時刻のデータを受信し、降車希望者端末から降車場所と降車予定時刻のデータを受信する。そして、受信された降車予定時刻において、降車場所の所定の範囲で、乗車希望者が存在するか否かを、受信した乗車場所と乗車予定時刻に基づいて検索する。ここで、乗車希望者が存在しない場合は、降車場所の所定の範囲を拡大して、乗車希望者が存在するか否かを、受信した乗車場所と乗車予定時刻に基づいて再検索する。したがって、車両を降車して、乗車希望者と乗換えを希望する降車希望者が、乗車希望者と時間又は場所の調整をして、車両利用のマッチングをすることができる。
【００１０】
（２）  上記カーシェアリングサーバは、さらに以下のような解決手段を備えることができる。前記乗車希望者検索手段及び前記再検索手段が検索した結果、前記乗車希望者が存在したと判断した場合には、当該乗車希望者の数を、前記降車場所の周辺の地図に表示するデータを前記降車希望者端末に送信するデータ送信手段を備えることを特徴とする。
【００１１】
したがって、降車希望者が指定した降車場所の周辺の地図に、乗車希望者の数をあわせて表示することが可能である。
【００１２】
（３）  上記カーシェアリングサーバは、さらに以下のような解決手段を備えることができる。前記乗車希望者検索手段及び前記再検索手段は、前記車両の蓄電量を参照して、前記降車場所の所定の範囲で、前記乗車希望者が存在するか否かを、受信した前記乗車場所と前記乗車予定時刻に基づいて設定することを特徴とする。
【００１３】
したがって、車両の蓄電量に基づいて、乗車場所を決定することが可能である。
【００１４】
（４）  上記カーシェアリングサーバは、さらに以下のような解決手段を備えることができる。前記降車希望者端末データ受信手段は、前記車両の走行経路を受信し、前記再検索手段においても、前記乗車希望者が存在しないと判断した場合には、受信した走行経路上に、所定の降車場所を検索することを特徴とする。
【００１５】
したがって、降車希望者に、車両の走行経路上の乗車場所を希望する乗車希望者を提案することが可能である。
【００１６】
（５）  上記カーシェアリングシステムは、さらに以下のような解決手段を備えることができる。
乗車希望者が利用する乗車希望者端末及び降車希望者が利用する降車希望者端末と互いに通信可能に接続され、前記降車希望者が利用する車両の利用のマッチングを行うカーシェアリングサーバであって、前記乗車希望者端末から乗車場所と乗車予定時刻のデータを受信する乗車希望者端末データ受信手段と、前記降車希望者端末から、前記降車希望者が車両を降車して前記乗車希望者と乗換えを希望する降車場所と降車予定時刻のデータを受信する降車希望者端末データ受信手段と、受信した前記乗車予定時刻において、前記乗車場所の所定の範囲で、前記降車希望者が存在するか否かを、受信した前記降車場所と前記降車予定時刻に基づいて検索する降車希望者検索手段と、前記降車希望者が存在しても前記降車希望者が承諾しなかった場合は、前記降車場所の所定の範囲を拡大して、前記降車希望者が存在するか否かを、受信した前記降車場所と前記降車予定時刻に基づいて再検索する再検索手段と、を備えることを特徴とする。
【００１７】
すなわち、カーシェアリングサーバは、乗車希望者端末から乗車場所と乗車予定時刻のデータを受信し、降車希望者端末から降車場所と降車予定時刻のデータを受信する。そして、受信した乗車予定時刻において、乗車場所の所定の範囲で、降車希望者が存在するか否かを、受信した降車場所と降車予定時刻に基づいて検索する。ここで、降車希望者が存在しない場合は、降車場所の所定の範囲を拡大して、降車希望者が存在するか否かを、受信した降車場所と降車予定時刻に基づいて再検索する。したがって、車両を利用する乗車希望者が、降車して、乗換えを希望する降車希望者と時間又は場所の調整をして、車両利用のマッチングをすることができる。
【００１８】
（６）  上記カーシェアリングシステムは、さらに以下のような解決手段を備えることができる。前記降車希望者検索手段及び前記再検索手段が検索した結果、前記降車希望者が存在したと判断した場合には、当該降車希望者の車両数を、前記降車場所の周辺の地図に表示するデータを前記乗車希望者端末に送信する地図送信手段を備えることを特徴とする。
【００１９】
したがって、乗車希望者が指定した乗車場所の周辺の地図に、降車希望者の車両数をあわせて表示することが可能である。
【発明の効果】
【００２０】
本発明によれば、車両を降車して、乗車希望者と乗換えを希望する降車希望者が、乗車希望者と時間又は場所の調整をして、車両利用のマッチングをすることができるカーシェアリングシステム及びカーシェアリング方法を提供することができる。
【図面の簡単な説明】
【００２１】
【図１】本発明の好適な実施形態であるカーシェアリングシステム全体を示す図である。
【図２】本発明の好適な実施形態であるカーシェアリングシステムを構成する乗車希望者端末２０、降車希望者端末１０、カーシェアリングサーバ１００の機能ブロックを示す図である。
【図３】本発明の好適な実施形態であるカーマッチング処理（降車希望者側）を示すフローチャートである。
【図４】本発明の好適な実施形態である降車希望者端末１０に表示される画面イメージを示す図である。
【図５】本発明の好適な実施形態である検索範囲テーブルを示すフローチャートである。
【図６】本発明の好適な実施形態であるカーマッチング処理（乗車希望者側）を示すフローチャートである。
【図７】本発明の好適な実施形態である乗車希望者端末２０に表示される画面イメージを示す図である。
【発明を実施するための形態】
【００２２】
以下、添付図面を参照して、本発明を実施するための形態（以下、実施形態）について詳細に説明する。なお、実施形態の説明の全体を通して同じ要素には同じ図番号を付している。
【００２３】
［カーシェアリングシステムの全体構成］
図１は、カーシェアリングシステム１の全体構成を示す図である。カーシェアリングシステム１は、降車希望者１７ａ、１７ｂ（以下、降車希望者１７）が運転する車両５０ａ、５０ｂ（以下、車両５０）と、車両５０に搭載された降車希望者端末１０ａ、１０ｂ（以下、降車希望者端末１０）と、公衆回線網３と、カーシェアリングサーバ１００と、乗車希望者２７ａ、２７ｂ（以下、乗車希望者２７）が使用する乗車希望者端末２０ａ、２０ｂ（以下、乗車希望者端末２０）と、を含む。図１では、降車希望者端末１０、乗車希望者端末２０を二つずつのみ記載しているが、多数の降車希望者端末１０、乗車希望者端末２０とカーシェアリングサーバ１００と通信可能に接続されていることが望ましい。
【００２４】
なお、本実施例において、カーシェアリングシステム１で適用する車両５０は、自動車であることを前提として、説明するが、自転車、自動二輪車等であってもよい。
【００２５】
降車希望者端末１０、乗車希望者端末２０、カーシェアリングサーバ１００は、互いに公衆回線網３を介して、有線、無線を問わず、通信可能に接続されている。
【００２６】
図２に基づいて、カーシェアリングシステム１の構成要素について説明する。
【００２７】
降車希望者端末１０は、車両５０を使用し、所定の場所で車両５０の降車を希望する降車希望者１７が使用する端末である。降車希望者端末１０は、車両に搭載された端末であって、カー・ナビゲーション・システムであってよい。すなわち、降車希望者端末１０は、制御部１１、データ記憶部１２、データ通信部１３、タッチパネル部１４，ＧＰＳ部１５を備えれば、車載の任意の装置でよい。
【００２８】
制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、データ通信部１３として、公衆回線網３に接続された無線対応通信デバイスを備え、データ記憶部１２として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等のいずれか又は双方を備える。さらに、タッチパネル部１４として、画像を表示する液晶モニタ等の表示部を備え、ユーザからの入力を受付けるタッチパネルや音声入力等の入力部を備える。
【００２９】
ＧＰＳ部１５は、ＧＰＳ（Ｇｌｏｂａｌ  Ｐｏｓｉｔｉｏｎｉｎｇ  Ｓｙｓｔｅｍ）衛星からの電波を受信することが可能な装置であって、制御部１１との恊働により、ＧＰＳ衛星までの距離を算出することで、地球上の車両の位置情報（緯度、経度）を算出することが可能な装置である。
【００３０】
データ記憶部１２には、カー・ナビゲーション・システムを搭載する場合は、車両を目的地へ誘導する地図データが記憶されている。
【００３１】
乗車希望者端末２０は、所定の場所で車両５０の乗車を希望する乗車希望者２７が使用する端末である。乗車希望者端末２０は、スマートフォン、携帯電話、ノートパソコン、電子書籍端末、スレート端末等であってもよい。乗車希望者端末２０は、制御部２１、データ記憶部２２、データ通信部２３、タッチパネル部２４を備えれば、任意の通信端末であってよい。さらに、ＧＰＳ部２５を備えることが望ましい。
【００３２】
制御部２１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、データ通信部２３として、無線対応通信デバイスを備え、データ記憶部２２として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等のいずれか又は双方を備える。さらに、タッチパネル部２４として、画像を表示する液晶モニタ等の表示部を備え、ユーザからの入力を受付けるタッチパネルや音声入力等の入力部を備える。
【００３３】
ＧＰＳ部２５は、ＧＰＳ（Ｇｌｏｂａｌ  Ｐｏｓｉｔｉｏｎｉｎｇ  Ｓｙｓｔｅｍ）衛星からの電波を受信することが可能な装置であって、制御部２１との恊働により、ＧＰＳ衛星までの距離を算出することで、地球上の位置情報（緯度、経度）を算出することが可能な装置である。
【００３４】
カーシェアリングサーバ１００は、乗車希望者端末２０と降車希望者端末１０の乗車予定時刻（降車予定時刻）、乗車場所（降車場所）を調整するサーバである。カーシェアリングサーバ１００は、制御部１０１、データ通信部１０３、会員ＩＤデータベース１０４、地図データベース１０５を備える。
【００３５】
制御部１０１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。データ通信部１０３は、公衆回線網３と通信可能に接続される通信デバイスを備える。
【００３６】
会員ＩＤデータベース１０４は、カーシェアリングシステム１に登録されている会員の会員ＩＤが記憶されているデータベースである。会員ＩＤは、降車希望者端末１０、乗車希望者端末２０から送受信され、送受信された会員ＩＤが、カーシェアリングシステム１にて利用可能であるか否かを会員ＩＤデータベース１０４が判断する。
【００３７】
地図データベース１０５は、車両５０が走行する地図データが記憶され、降車希望者端末１０、乗車希望者端末２０から受信した時刻及び場所から、地図データ上の所定の場所を検索する。
【００３８】
制御部１０１は、適宜、会員ＩＤデータベース１０４、地図データベース１０５にアクセスして、後述する各処理を実行する。
【００３９】
カーシェアリングサーバ１００は、これらのハードウェアの協働により、乗車希望者端末データ受信手段、降車希望者端末データ受信手段、乗車希望者検索手段、再検索手段、降車希望者検索手段、データ送信手段を実現する。
【００４０】
［カーマッチング処理（降車希望者側）］
次に、図３を参照して、降車希望者端末１０、カーシェアリングサーバ１００、乗車希望者端末２０が実行するカーマッチング処理について説明する。カーマッチング処理は、降車希望者のための処理と、図６にて説明するように、乗車希望者のための処理がある。
【００４１】
最初に、乗車希望者端末２０は、乗車希望者２７の入力操作に応じて、乗車場所と乗車予定時刻をカーシェアリングサーバ１００に送信する（ステップＳ０１）。例えば、乗車希望者端末２０に、地図を表示し、この地図上の乗車を希望する乗車場所に、乗車を希望する時刻である乗車予定時刻の入力を乗車希望者２７から受付けてもよい。
【００４２】
カーシェアリングサーバ１００は、乗車希望者端末２０から受信した乗車場所と乗車予定時刻を記憶する（ステップＳ０２）。
【００４３】
一方、降車希望者端末１０では、降車希望者１７から車両５０の行き先である目的地の入力を受付ける（ステップＳ０３）。降車希望者端末１０は、目的地からこの車両５０の降車場所と降車予定時刻を決定し、決定した降車場所と降車予定時刻を、カーシェアリングサーバ１００へ送信する（ステップＳ０４）。図示しないが、カーシェアリングサーバ１００は、送信された降車場所と降車予定時刻を受信し、記憶する。
【００４４】
なお、カーシェアリングサーバ１００は、降車希望者端末１０から目的地までの走行経路のデータを受信して、記憶してもよい。
【００４５】
次に、カーシェアリングサーバ１００は、受信した降車予定時刻において、降車場所の所定の範囲で、乗車希望者が存在するか否かを、受信した乗車場所と乗車予定時刻に基づいて検索する（ステップＳ０５）。最初の検索では、カーシェアリングサーバ１００は、図５に示す検索範囲テーブルを参照して、第一検索範囲で検索を行う。
【００４６】
検索範囲テーブルは、乗車希望者２７又は降車希望者１７を検索する際の範囲を決定するテーブルであって、カーシェアリングサーバ１００に記憶されたテーブルである。詳細は後述するが、一回目の検索である第一検索、二回目の検索である第二検索と、検索回数に応じて検索範囲が変化する。検索範囲テーブルは、この検索回数と検索範囲が対応付けられているテーブルである。
【００４７】
図４を参照して説明する。図４は、降車希望者端末１０に表示される画面イメージ図である。降車希望者端末１０が、降車場所として地点Ａを決定し、この降車予定時刻が１４時５０分であるとする。第一検索において、検索範囲テーブルを参照すると、検索範囲が３０メートルであり、地点Ａを中心として、この３０メートルを半径とした円の範囲に、乗車希望者２７がいるか否かを検索する。
【００４８】
図４では、検索がされなかったため（ステップＳ０６：「ＮＯ」）、ステップＳ０７に処理を移す。ステップＳ０７において、カーシェアリングサーバ１００は、検索範囲拡大処理として、第二検索を行うため、検索範囲テーブルを参照し、次の拡大された円の半径を決定する。
【００４９】
そして、ステップＳ０５に戻り、乗車希望者の再検索を行う。この例では、第二検索として半径を２００メートルとして検索すると、乗車希望者の地点４１と地点４２が検索される（ステップＳ０６：「ＹＥＳ」）。カーシェアリングサーバ１００は、この検索された地点４１及び地点４２の乗車予定時刻と、乗車場所を降車希望者端末１０に送信する（ステップＳ０８）。
【００５０】
降車希望者端末１０は、この乗車場所と乗車予定時刻を受信して、降車希望者１７から、この乗車場所と乗車予定時刻で承諾するか否かの操作を受付ける（ステップＳ０９）。
【００５１】
例えば、降車希望者端末１０には、図４の画面イメージが表示される。ここでは、車両５０が目的地Ａ地点までの経路が表示され、地点Ａに１４時５０分に到着することを示す。なお、第一検索範囲、第二検索範囲の各円は、実施例の説明のため示されており、降車希望者端末１０に表示させなくてもよい。
【００５２】
地点４１、地点４２は、乗車希望者２７の乗車場所と、乗車予定時刻とで少なくとも構成され、同じ乗車場所で乗車を希望する乗車希望者２７の人数を含んでよい。例えば、地点４２は、３人の乗車希望者２７がこの地図上の地点で１５：０５前後に乗車を希望していることを示す。
【００５３】
降車希望者１７は、ここで、地点４１又は地点４２のいずれかを選択操作して、乗車場所と乗車予定時刻を承諾した場合（ステップＳ０９：「ＹＥＳ」）は、マッチング成立として、カーシェアリングサーバ１００に通知する（ステップＳ１１）。
【００５４】
降車希望者１７は、地点４１又は地点４２のいずれにおいても乗車場所と乗車予定時刻を承諾できない場合（ステップＳ０９：ＮＯ」）は、マッチング不成立として、カーシェアリングサーバ１００に通知する（ステップＳ１０）。これに応じて、カーシェアリングサーバ１００は、再度、検索範囲拡大処理（ステップＳ０７）を実行する。例えば、検索範囲テーブルを参照して、第三検索として、１ｋｍの半径での再検索を行う（ステップＳ０５）。
【００５５】
ステップＳ１２において、カーシェアリングサーバ１００は、承諾された乗車予定時刻、乗車場所で時刻、場所を決定し、決定したことを乗車希望者端末２０、降車希望者端末１０に送信する（ステップＳ１３）。これに応じて、乗車希望者端末２０及び降車希望者端末１０は、決定した場所及び時刻を表示する（ステップＳ１４及びＳ１５）。
【００５６】
なお、車両５０が、所定の燃料を消費する自動車、例えば、ガゾリン等の燃料を消費して走行するガソリン自動車や、水素を燃料とする燃料電池車、電気を消費して走行する電気自動車である場合には、この燃料や蓄電量に応じて、降車希望者１７が希望する降車場所を、強制的に、燃料を補充するステーション（ガソリンであればガソリンスタンド）や蓄電池の充電ステーション（以下、「補充ステーション」）に設定してもよい。すなわち、乗車希望者２７が補充ステーションを乗車場所としている場合に、車両５０の充電量を参照して、この補充ステーションを降車場所と設定してもよい。例えば、車両５０の蓄電量が所定の割合以下（例えば、３０％以下）となった場合や、目的地に到達すると、車両５０の蓄電量が所定の割合以下となると算出される場合に、充電ステーションに降車場所を設定する。
【００５７】
同様に、車両５０の蓄電量が少ない場合に、走行距離が短い場所を降車場所として設定してもよい。すなわち、乗車希望者２７が、走行距離が短い場所を乗車場所としている場合に、車両５０の充電量を参照して、この乗車場所を降車場所と設定してもよい。
【００５８】
なお、検索範囲テーブルは、上述では目的地を中心とした円の範囲を拡大することで検索範囲を拡大したが、これ以外にも、例えば、目的地から離れたところであって、目的地までの走行経路の延長線上で、検索範囲を拡大させてもよい。
【００５９】
［カーマッチング処理（乗車希望者側）］
次に、図６を参照して、乗車希望者端末２０、カーシェアリングサーバ１００、降車希望者端末１０が実行するカーマッチング処理について説明する。
【００６０】
最初に、降車希望者端末１０は、降車希望者１７の入力操作に応じて、降車場所と降車予定時刻をカーシェアリングサーバ１００に送信する（ステップＳ２０）。例えば、降車希望者端末１０に、地図を表示し、この地図上の降車を希望する降車場所に、降車を希望する時刻である降車予定時刻の入力を降車希望者１７から受付けてもよい。
【００６１】
カーシェアリングサーバ１００は、降車希望者端末１０から受信した降車場所と降車予定時刻を記憶する（ステップＳ２１）。
【００６２】
一方、乗車希望者端末２０では、乗車希望者２７から乗車場所、乗車予定時刻の入力を受付ける（ステップＳ２２）。乗車希望者端末２０は、乗車予定時刻と乗車場所を、カーシェアリングサーバ１００へ送信する（ステップＳ２３）。図示しないが、カーシェアリングサーバ１００は、送信された乗車予定時刻と乗車場所を受信し、記憶する。
【００６３】
次に、カーシェアリングサーバ１００は、受信した乗車予定時刻において、乗車場所の所定の範囲で、降車希望者が存在するか否かを、受信した降車場所と降車予定時刻に基づいて検索する（ステップＳ２４）。最初の検索では、カーシェアリングサーバ１００は、図５に示す検索範囲テーブルを参照して、第一検索範囲で検索を行う。
【００６４】
図７を参照して説明する。図７は、乗車希望者端末２０に表示される画面イメージ図である。乗車希望者端末２０が、乗車場所として地点Ｂを決定し、この乗車予定時刻が１５時００分であるとする。第一検索において、検索範囲テーブルを参照すると、検索範囲が３０メートルであり、地点Ｂを中心として、この３０メートルを半径とした円の範囲に、降車希望者１７がいるか否かを検索する。
【００６５】
図７の例では、検索がされなかったため（ステップＳ２５：「ＮＯ」）、ステップＳ２６に処理を移す。ステップＳ２６において、カーシェアリングサーバ１００は、検索範囲拡大処理として、第二検索を行うため、検索範囲テーブルを参照し、次の拡大された円の半径を決定する。
【００６６】
そして、ステップＳ２４に戻り、降車希望者の再検索を行う。この例では、第二検索として半径を２００メートルとして検索すると、乗車希望者の地点６１が検索される（ステップＳ２５：「ＹＥＳ」）。カーシェアリングサーバ１００は、この検索された地点６１の降車場所と降車予定時刻を乗車希望者端末２０に送信する（ステップＳ２７）。
【００６７】
乗車希望者端末２０は、この降車場所と降車予定時刻を受信して、乗車希望者２７から、この降車場所と降車予定時刻で承諾するか否かの操作を受付ける（ステップＳ２８）。
【００６８】
例えば、乗車希望者端末２０には、図７の画面イメージが表示される。ここでは、乗車希望者２７は、地点Ｂに１５時００分に乗車希望することを入力している。なお、第一検索範囲、第二検索範囲、第三検索範囲の各円は、実施例の説明のため示されており、乗車希望者端末２０に表示させなくてもよい。
【００６９】
地点６０，６１、６２は、降車希望者１７の降車場所と、降車予定時刻とで少なくとも構成され、同じ降車場所で降車を希望する降車希望者１７の車両数を含んでよい。例えば、地点６２は、４台の車両がこの地図上の地点で１５：００前後に降車を希望していることを示す。
【００７０】
乗車希望者２７は、ここで、地点６１を選択操作して、降車場所と降車予定時刻を承諾した場合（ステップＳ２８：「ＹＥＳ」）は、マッチング成立として、カーシェアリングサーバ１００に通知する（ステップＳ３１）。
【００７１】
乗車希望者２７は、地点６１の降車場所と降車予定時刻を承諾できない場合（ステップＳ２８：「ＮＯ」）は、マッチング不成立として、カーシェアリングサーバ１００に通知する（ステップＳ２９）。これに応じて、カーシェアリングサーバ１００は、再度、検索範囲拡大処理（ステップＳ２６）を実行する。例えば、検索範囲テーブルを参照して、第三検索として、１ｋｍの半径での再検索を行う（ステップＳ２４）。このようにして、図７に示す、地点６０，地点６２が検索される。
【００７２】
ステップＳ３１において、カーシェアリングサーバ１００は、承諾された降車予定時刻、降車場所で時刻、場所を決定し、決定したことを降車希望者端末１０、乗車希望者端末２０に送信する（ステップＳ３２）。これに応じて、降車希望者端末１０及び乗車希望者端末２０は、決定した場所及び時刻を表示する（ステップＳ３３及びＳ３４）。
【００７３】
上述した手段、機能は、コンピュータ（ＣＰＵ、サーバ、装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７５】
１      カーシェアリングシステム
３      公衆回線網
１０    降車希望者端末
２０    乗車希望者端末
１００  カーシェアリングサーバ
【図１】
0005773706.tif 000002
【図２】
0005773706.tif 000003
【図３】
0005773706.tif 000004
【図４】
0005773706.tif 000005
【図５】
0005773706.tif 000006
【図６】
0005773706.tif 000007
【図７】
0005773706.tif 000008